(57)【要約】【課題】ＤＣ調光方式により発光素子を駆動する電源駆動回路及びこれを備える照明装置において、異常状態（短絡故障及び開放故障）を検出すること【解決手段】光源の他端の電圧値と基準電圧に基づく第１の比較電圧値とに基づいて過大電圧を検出する過大電圧検出部と、光源の他端の電圧値と基準電圧に基づく第２の比較電圧値とに基づいて過小電圧を検出する過小電圧検出部と、を備えることとする。【選択図】図１
2015225770.tif 000002
【特許請求の範囲】
【請求項１】
１又は複数の発光素子から構成される光源と、
前記光源に流れる電流の直流電流値を調整することによって調光する調光制御部と、
基準電圧を出力する基準電圧出力部と、
前記光源の一端に接続されて前記直流電流値を検出する電流検出部と、
前記光源及び前記電流検出部の接続点の電圧値と前記基準電圧の値との誤差信号を出力する誤差増幅器と、
前記光源の他端の電圧値と前記基準電圧に基づく第１の比較電圧値とに基づいて過大電圧を検出する過大電圧検出部と、
前記光源の他端の電圧値と前記基準電圧に基づく第２の比較電圧値とに基づいて過小電圧を検出する過小電圧検出部と、
を備える電源駆動回路。
【請求項２】
第１の比較電圧値は前記基準電圧の出力電圧値に、前記基準電圧の出力電圧値に応じた第１の閾値電圧値が加わった電圧値であり、第２の比較電圧値は前記基準電圧の出力電圧値に、前記基準電圧の出力電圧値に応じた第２の閾値電圧値が加わった電圧値である請求項１に記載の電源駆動回路。
【請求項３】
前記基準電圧はデジタル情報に変換され、第１の比較電圧値はデジタル情報に変換された前記基準電圧値に、前記基準電圧の出力電圧値に応じた第１の閾値電圧値が加わった電圧値であり、第２の比較電圧値はデジタル情報に変換された前記基準電圧値に、前記基準電圧の出力電圧値に応じた第２の閾値電圧値が加わった電圧値である請求項１に記載の電源駆動回路。
【請求項４】
前記光源が複数の発光素子を備える場合において、前記過大電圧検出部及び前記過小電圧検出部の少なくとも一方は、異常が発生した発光素子の数に応じて過小電圧及び／又は過小電圧を検出可能な複数の検出部を備え、さらに、異常が発生した発光素子の数に応じて異なる制御を実行する制御部を備える請求項１〜請求項３のいずれか１項に記載の電源駆動回路。
【請求項５】
請求項１〜請求項４のいずれか１項に記載の電源駆動回路を備える照明装置。
【発明の詳細な説明】
【技術分野】
【０００１】
本発明は、光源の短絡故障や開放故障の検出機能を有する電源駆動回路及びこれを備える照明装置に関する。
【背景技術】
【０００２】
複数のＬＥＤを直列接続してなるＬＥＤユニットを備える電源駆動回路において、ＬＥＤユニットを構成するＬＥＤに短絡故障や開放故障が生じたことを検出する方法として、特許文献１が知られている。
【０００３】
特許文献１では、ＬＥＤユニットに流れる電流値を検知し、当該電流値に対応する検出電圧と、調光電圧（閾値電圧）とを比較して、その比較結果に基づいて異常状態を検出している。
【先行技術文献】
【特許文献】
【０００４】
【特許文献１】特開２０１３−２５１０６５号公報
【発明の概要】
【発明が解決しようとする課題】
【０００５】
特許文献１によれば、ＬＥＤユニットに流れる電流値に対応する検出電圧が閾値電圧より大きいか否かの比較を行っており、短絡故障による過電流の検出は可能であるが、開放故障を検知することはできない。また、ＬＥＤ駆動回路はＬＥＤモジュールに流れる電流に関してフィードバック制御を行っており、短絡故障が発生しても電流値が一定となるように制御するものであるから、短絡故障が生じたとしても過電流の検出は困難であると考えられる。
【０００６】
ところで、ＬＥＤを調光する（明るさを変動させる）方法には大きく分けて、ＰＷＭ調光方式とＤＣ調光方式とがある。ＰＷＭ調光方式はＬＥＤが点滅する時間を制御する方式であり、ＬＥＤに流れる電流値が一定となるように制御される。これに対してＤＣ調光方式は、ＬＥＤに流れる電流値を変化させることによって調光する方式である。ＰＷＭ調光方式は、高輝度で点灯を行う場合、ＰＷＭ波形の周期を短くしてオンオフによるちらつきが認識できないように制御されるが、周期の短いＰＷＭ信号を使用すると電磁ノイズが発生し、音声信号や映像信号に干渉して品位が低下する可能性がある。また、矩形波信号を用いて、ＬＥＤを調光するため、ノイズ音が発生しやすく利用者にとって煩わしいものであった。これに対して、ＤＣ調光方式は上述したＰＷＭ調光方式に特有の課題が生じない。
【０００７】
本発明は上述した問題点に鑑み、ＤＣ調光方式により発光素子を駆動する電源駆動回路及びこれを備える照明装置において、異常状態（短絡故障及び開放故障）を検出することを目的とする。
【課題を解決するための手段】
【０００８】
上記目的を達成するために本発明の電源駆動回路は、１又は複数の発光素子から構成される光源と、基準電圧を出力する基準電圧出力部と、前記光源の一端に接続されて前記光源に流れる電流の直流電流値を検出する電流検出部と、前記光源及び前記電流検出部の接続点の電圧値と前記基準電圧の値との誤差信号を出力する誤差増幅器と、前記直流電流値を前記誤差信号に基づいて調整することによって調光する調光制御部と、前記光源の他端の電圧値と前記基準電圧に基づく第１の比較電圧値とに基づいて過大電圧を検出する過大電圧検出部と、前記光源の他端の電圧値と前記基準電圧に基づく第２の比較電圧値とに基づいて過小電圧を検出する過小電圧検出部と、を備えることを特徴としている。
【０００９】
また上記構成の電源駆動回路において、第１の比較電圧値は前記基準電圧の出力電圧値に、前記基準電圧の出力電圧値に応じた第１の閾値電圧値が加わった電圧値であり、第２の比較電圧値は前記基準電圧の出力電圧値に、前記基準電圧の出力電圧値に応じた第２の閾値電圧値が加わった電圧値であることが望ましい。
【００１０】
また上記構成の電源駆動回路において、前記基準電圧はデジタル情報に変換され、第１の比較電圧値はデジタル情報に変換された前記基準電圧値に、前記基準電圧の出力電圧値に応じた第１の閾値電圧値が加わった電圧値であり、第２の比較電圧値はデジタル情報に変換された前記基準電圧値に、前記基準電圧の出力電圧値に応じた第２の閾値電圧値が加わった電圧値であることが望ましい。
【００１１】
また上記構成の電源駆動回路において、前記光源が複数の発光素子を備える場合において、前記過大電圧検出部及び前記過小電圧検出部の少なくとも一方は、異常が発生した発光素子の数に応じて過小電圧及び／又は過小電圧を検出可能な複数の検出部を備え、さらに、異常が発生した発光素子の数に応じて異なる制御を実行する制御部を備えることが望ましい。
【００１２】
上記目的を達成するために本発明の照明装置は上記いずれかの電源駆動回路を備えることが望ましい。
【発明の効果】
【００１３】
本発明の電源駆動回路は、ＤＣ調光により発光素子の調光を行う電源駆動回路であり、光源の両端電圧の電圧値に基づいて、発光素子の短絡故障及び開放故障を検出することができる。
【図面の簡単な説明】
【００１４】
【図１】照明装置が備える電源駆動回路の第１の回路図
【図２】基準電圧と閾値電圧の関係を示すグラフ
【図３】照明装置が備える電源駆動回路の第２の回路図
【図４】照明装置が備える電源駆動回路の第３の回路図
【発明を実施するための形態】
【００１５】
＜第１実施形態＞
図１は本実施形態の照明装置が備える電源駆動回路の回路図である。照明装置としては液晶表示装置が例示される。図１を参照して、電源駆動回路１００は、整流回路１、平滑化回路２、電圧変換回路３、ＬＥＤアレー４及び比較部５を備える。
【００１６】
整流回路１は４つのダイオードから構成されるダイオードブリッジであり、商用電源ＡＣから入力される交流電圧を脈流電圧に変換する。平滑化回路２は整流回路１から出力された脈流電力を蓄え、且つ、放出することにより脈流電力を平滑化する。平滑化回路２として本実施形態ではコンデンサＣ１が使用される。コンデンサＣ１の一方の端子は整流回路１に電気的に接続され、他方の端子は接地されている。
【００１７】
電圧変換回路３は、平滑化回路２から出力された直流電圧を所定の大きさの電圧に変換して出力する電圧変換回路である。電圧変換回路３は、チョークコイル（インダクタ）Ｐ１、ダイオードＤ１、コンデンサＣ２、トランジスタ（スイッチング素子）Ｑ１、電流検出用抵抗Ｒ１及びＰＷＭ変調回路部３１を備えて構成される。平滑化回路２の出力端子間にはチョークコイルＰ１とトランジスタＱ１からなる直列回路が接続される。トランジスタＱ１にはトランジスタＱ１の電流を検出する電流検出抵抗Ｒ１が接続され、抵抗Ｒ１の他端は接地されている。
【００１８】
チョークコイルＰ１とトランジスタＱ１との接続点には、ダイオードＤ１とコンデンサＣ２との直列回路が接続される。ダイオードＤ１のアノード側がチョークコイルＰ１とトランジスタＱ１の接続点に接続され、ダイオードＤ１のカソード側がコンデンサＣ２に接続される。コンデンサＣ２は一方の端子が上述したダイオードＤ１のカソード側に接続され、他方の端子は接地されている。ＰＷＭ調光回路部３１は調光レベルに応じた直流電流をＬＥＤアレー７に供給することによりＬＥＤアレー４を構成するＬＥＤ４１（１）〜４１（ｎ、ｎは任意の自然数）を点灯させる。
【００１９】
電圧変換回路３の出力端子間には複数のＬＥＤ４１（１）〜４１（ｎ）を直列に接続したＬＥＤアレー４と電流検出抵抗Ｒ２との直列回路が接続される。ＬＥＤアレー４において、各ＬＥＤ４１（１）〜４１（ｎ）は夫々、ツェナーダイオードＺＤ（１）〜ＺＤ（ｎ）と並列に接続される。なお、以下の説明において各ＬＥＤ４１（１）〜４１（ｎ）を区別する必要がない場合にはＬＥＤ４１と記載し、また、各ツェナーダイオードＺＤ（１）〜ＺＤ（ｎ）を区別する必要がない場合にはＺＤと記載する。
【００２０】
並列に接続されたＬＥＤ４１とツェナーダイオードＺＤは逆方向に接続され、ＬＥＤ４１が正常な状態において電流はＬＥＤ４１を流れる。当該構成によりＬＥＤ４１に対する逆方向極性の電圧はツェナーダイオードＺＤに加わりＬＥＤ４１に加わらないのでＬＥＤ４１が保護される。加えて、ＬＥＤ４１が開放故障した場合には、一定の逆方向極性の電圧が加わることにより通電するツェナーダイオードＺＤの特性により、電流がツェナーダイオードＺＤを流れる。従って、例えばＬＥＤ４１（１）が開放しても、他のＬＥＤ４１（２）〜４１（ｎ）に電流が流れ、発光する。
【００２１】
電源駆動回路１００はさらに２入力１出力の誤差増幅器ＯＡ１、基準電圧（調光電圧）出力部６を備える。誤差増幅器ＯＡ１の非反転入力端子は基準電圧出力部６の基準電圧出力端子に接続されて基準電圧Ｖｒｅｆが印加される。誤差増幅器ＯＡ１の反転入力端子はＬＥＤアレー４と電流検出用抵抗Ｒ２との接続点（ＬＥＤアレー４の一端）に接続される。誤差増幅器ＯＡ１は、基準電圧Ｖｒｅｆと誤差増幅器ＯＡ１の反転入力端子の電圧（以下、Ｖｒ１）との誤差量をＫ倍（Ｋ＝定数）してＰＷＭ制御回路部３１に出力する。ＰＷＭ制御回路部３１は誤差増幅器ＯＡ１の出力信号に基づいてトランジスタＱ１のオンオフを制御するＰＷＭ信号からなる制御信号を出力する。
【００２２】
比較部５は第１の比較部（誤差増幅器）５１及び第２の比較部（誤差増幅器）５２を備える。第１の比較部５１の非反転入力端子はＬＥＤアレー４の他端（上述したＬＥＤアレー４の一端に対する他端）に接続され、反転入力端子は第１の閾値電圧出力部５３を介して基準電圧出力部６と誤差増幅器ＯＡ１との接続点に接続される。第１の閾値電圧出力部５３からは、基準電圧出力部６の出力電圧Ｖｒｅｆに応じた閾値電圧Ｖｔ１が出力され、第１の比較部５１の反転入力端子には基準電圧Ｖｒｅｆに閾値電圧Ｖｔ１が加えられた電圧（ＬＥＤアレー４の他端電圧に基づく比較電圧）が印加される。第１の比較部５１は過大電圧検出部であり、第１の比較部５１の非反転入力端子に印加される電圧（ＬＥＤアレー４の他端の電圧Ｖｒ２）と、第１の比較部５１の反転入力端子に印加される電圧（Ｖｒｅｆ＋Ｖｔ１）とを比較する。
【００２３】
第２の比較部５２の反転入力端子はＬＥＤアレー４の他端に接続され、非反転入力端子は第２の閾値電圧出力部５４を介して基準電圧出力部６と誤差増幅器ＯＡ１との接続点に接続される。第２の閾値電圧出力部５４からは、基準電圧出力部６の出力電圧Ｖｒｅｆに応じた閾値電圧Ｖｔ２が出力され、第２の比較部５２の非反転入力端子には基準電圧Ｖｒｅｆに閾値電圧Ｖｔ２が加えられた電圧（ＬＥＤアレー４の他端電圧に基づく比較電圧）が印加される。第２の比較部５２は過小電圧検出部であり、第２の比較部５２の反転入力端子に印加される電圧（ＬＥＤアレー４の他端の電圧Ｖｒ２）と、第２の比較部５２の非反転入力端子に印加される電圧（Ｖｒｅｆ＋Ｖｔ２）とを比較する。
【００２４】
以下、ＬＥＤアレー４を構成するＬＥＤ４１に生じた異常を検知する異常検知方法を説明する。なお、本例においてＬＥＤアレー４には２０個のＬＥＤ（ＬＥＤ４１（１）〜４１（２０）が直列接続されていることとし、異常が発生したＬＥＤはＬＥＤ４１（１）〜ＬＥＤ４１（５）であることとする。また、ＬＥＤ４１を最大輝度で点灯させる場合に、各ＬＥＤ４１に印加される電圧は３．３Ｖであることとする。
【００２５】
[開放故障の検知]
本実施形態の電源駆動回路１００は上述したようにＬＥＤアレー４に流れる直流電流値を調整することによって調光する調光方式（いわゆるＤＣ調光方式）である。従って、２０個のＬＥＤ４１を最大輝度で点灯させる場合に、ＬＥＤアレー４４に印加される電圧は６６Ｖ（３．３Ｖ×２０個）である。この状態でＬＥＤ４１（１）〜（５）に開放故障が発生した場合、ＬＥＤ４１（１）〜（５）の代わりに、ツェナーダイオードＺＤ（１）〜（５）に電流が流れる。ツェナーダイオードＺＤの抵抗値はＬＥＤ４１の抵抗値よりも高く設定されており、ＬＥＤアレー４４に印加される電圧は６６Ｖよりも高くなる（例えば電流が１個のツェナーダイオードＺＤに流れるにつれて２〜３Ｖ高くなる）。
【００２６】
第１の閾値電圧出力部５３は基準電圧出力部６の出力電圧に応じた閾値電圧が出力され、例えば本例では１８Ｖが出力され、第１の比較部５１の反転入力端子には８４Ｖが印加される。第１の比較部５１は反転入力端子に印加された電圧と、非反転入力端子に印加された電圧（Ｖｒ２）とを比較して、Ｖｒ２＞８４Ｖである場合にはＨｉｇｈ信号が制御部５５に出力される。制御部５５は第１の比較部５１からＨｉｇｈ信号が入力されることで過大電圧を検出し、すなわち、ＬＥＤアレー４内において開放故障が生じていることを検出する。
【００２７】
[短絡故障の検知]
本実施形態の電源駆動回路１００は上述したようにＬＥＤアレー４に流れる直流電流値を調整することによって調光する調光方式（いわゆるＤＣ調光方式）である。従って、２０個のＬＥＤ４１を最大輝度で点灯させる場合に、ＬＥＤアレー４４に印加される電圧は６６Ｖ（３．３Ｖ×２０個）である。この状態でＬＥＤ４１（１）〜（５）に短絡故障が発生した場合、点灯するＬＥＤ４１が１５個となり、ＬＥＤアレー４４に印加される電圧は４９．５Ｖとなる。
【００２８】
第２の閾値電圧出力部５４は基準電圧出力部６の出力電圧に応じた閾値電圧が出力され、例えば本例では−１３Ｖが出力され、第２の比較部５２の非反転入力端子には５３Ｖが印加される。第２の比較部５２は非反転入力端子に印加された電圧と、反転入力端子に印加された電圧（Ｖｒ２）とを比較して、５３Ｖ＞Ｖｒ２である場合にはＨｉｇｈ信号が制御部５５に出力される。制御部５５は第２の比較部５２からＨｉｇｈ信号が入力されることで過小電圧を検出し、すなわち、ＬＥＤアレー４内において短絡故障が生じていることを検出する。
【００２９】
制御部５５は短絡故障又は開放故障を検出した場合に所定の制御を実行する。所定の制御としては例えば、本実施形態の電源駆動回路１００を液晶表示装置が備える場合には、装置の電源状態をスタンバイモードに移行し、且つ、電源ランプを赤点滅とすることで、異常状態が発生していることをユーザに報知する。
【００３０】
本例において各ＬＥＤ４１に印加される電圧値や閾値電圧値は例示であって特に限られるものではない。また、ＬＥＤアレー４の他端に印加される電圧は、図２のグラフＧ１に示すように輝度が高くなればなるほど、言い換えれば、ＬＥＤ４１を高輝度に点灯させるほどに高電圧となり、低輝度で点灯させるほどに低電圧となる。グラフＧ２及びＧ３はＬＥＤアレー４の他端電圧（グラフＧ１）に対して許容される（正常状態とみなされる）範囲を示すグラフであり、各輝度において、Ｇ２≦ＬＥＤアレー４の他端電圧値≦Ｇ３であれば正常状態とし、これを逸脱すると異常状態と特定される。
【００３１】
ところで、同一のＬＥＤ４１に対して短絡故障や開放故障が生じた場合におけるＬＥＤアレー４の他端電圧値と、ＬＥＤアレー４の一端で検出される電圧値と、の電圧差は、ＬＥＤ４１を低輝度に点灯させた場合に比べて、ＬＥＤ４１を高輝度に点灯させた場合のほうが大きくなる。従って、ＬＥＤ４１を高輝度に点灯させた場合において正常状態とされる範囲は、ＬＥＤ４１を低輝度に点灯させた場合において正常状態とされる範囲よりも広くすることが望ましく、すなわち、ＬＥＤ４１を高輝度に点灯させた場合における閾値電圧の絶対値は、ＬＥＤ４１を低輝度に点灯させた場合における閾値電圧の絶対値よりも大きく設定される。
【００３２】
本実施形態によれば、電源駆動回路は２個の検出部を備え、各検出部が基準電圧に閾値電圧が加わった電圧と、ＬＥＤアレーの他端の電圧とを比較して制御部に出力信号を出力し、制御部はその出力信号に基づいて開放故障又は短絡故障の発生が検出できる。
【００３３】
＜第２実施形態＞
図３は本実施形態の照明装置が備える電源駆動回路の回路図である。図１に示す回路図と異なるのは図１の比較部５が比較部７に置換されていることであり、その他の構成は図１と同様である。比較部７は第１のＡＤ変換器７１、第２のＡＤ変換器７２、第１の比較部７３、第２の比較部７４、記憶部７５及び制御部７６を備える。
【００３４】
第１のＡＤ変換器７１の入力端子はＬＥＤアレー４の他端に接続されて入力電圧（Ｖｒ２）をデジタル信号に変換する。第２のＡＤ変換器７２の入力端子は基準電圧出力部６と誤差増幅器ＯＡ１との接続点に接続されて、入力電圧（Ｖｒｅｆ）をデジタル信号に変換する。記憶部７５には、第２のＡＤ変換器７２の出力端子から出力されたデジタル信号に応じた第１の閾値電圧及び第２の閾値電圧を定めた閾値電圧テーブルが記憶される。制御部７６は閾値電圧テーブルを参照して、第２のＡＤ変換器７２の出力端子から出力されたデジタル信号に応じた第１の閾値電圧（正電圧）を示す信号を第１の比較部７３、第２の閾値電圧（負電圧）を示す信号を第２の比較部７４に出力する。
【００３５】
第１の比較部７３には、第１のＡＤ変換器７１及び第２のＡＤ変換器７２から出力されるデジタル信号と、第１の閾値電圧を示す信号が入力され、第１の比較部７３はこれらに基づいて第１のＡＤ変換器７１の出力デジタル信号と第２のＡＤ変換器７２の出力デジタル信号を比較し、その結果を示す信号を制御部７６に出力する。制御部７６は、第１のＡＤ変換器７１の出力デジタル信号−第２のＡＤ変換器７２の出力デジタル信号＞第１の閾値電圧を示す信号、である場合に過大電圧を検出する。
【００３６】
第２の比較部７４には、第１のＡＤ変換器７１及び第２のＡＤ変換器７２から出力されるデジタル信号と、第２の閾値電圧を示す信号が入力され、第２の比較部７４はこれらに基づいて第１のＡＤ変換器７１の出力デジタル信号と第２のＡＤ変換器７２の出力デジタル信号を比較し、その結果を示す信号を制御部７６に出力する。制御部７６は、第１のＡＤ変換器７１の出力デジタル信号−第２のＡＤ変換器７２の出力デジタル信号＜第２の閾値電圧を示す信号、である場合に過小電圧を検出する。
【００３７】
制御部７６は短絡故障又は開放故障を検出した場合に所定の制御を実行する。所定の制御としては例えば、本実施形態の電源駆動回路１００を液晶表示装置が備える場合には、電源状態をスタンバイモードに移行し、且つ、電源ランプを赤点滅とすることで、異常状態が発生していることをユーザに報知する。
【００３８】
本実施形態によれば、電源駆動回路は２個の検出部を備え、各検出部はが基準電圧に閾値電圧が加わった電圧のデジタル信号と、ＬＥＤアレーの他端の電圧のデジタル信号とを比較して制御部に出力信号を出力し、制御部はその出力信号に基づいて開放故障又は短絡故障の発生が検出できる。
【００３９】
＜第３実施形態＞
第１実施形態及び第２実施形態においては電源駆動回路が２個の検出部を備えることとしたが、検出部の数はこれに限られるものではない。すなわち、電源駆動回路が過大電圧及び過小電圧を検出する検出部を各１個ずつ有する構成においては、制御部は各検出部が過大電圧又は過小電圧を検出した場合に、当該電源駆動回路を備える照明装置を継続して使用することが危険であるとして、照明装置の動作を停止、禁止することが望ましい。しかしながらユーザにとっては事前に何らの示唆もなく突然、照明装置の動作が停止し、且つ、使用できなくなることになる。そこで本実施形態では電源駆動回路が４個の検出部を備えることとして上記問題を解決する。なお、検出部の数は４個以上に限られるものではなく６個以上であってもよい。また、過大電圧又は過小電圧の一方のみにおいて複数の制御を実行する場合には奇数個数としてもよい。
【００４０】
図４は本実施形態の照明装置が備える電源駆動回路の回路図である。図１に示す回路図の変形例であり、比較部５の構成が異なる以外の構成は図１と同様である。なお、図３に示す回路図についても本実施形態の趣旨に基づいて同様に変形することが可能である。
【００４１】
比較部５は第１の比較部（誤差増幅器）５１ａ、第２の比較部（誤差増幅器）５１ｂ、第３の比較部（誤差増幅器）５２ａ及び第４の比較部（誤差増幅器）５２ｂを備える。第１の比較部５１ａの非反転入力端子はＬＥＤアレー４の他端に接続され、反転入力端子は第１の閾値電圧出力部５３ａを介して基準電圧出力部６と誤差増幅器ＯＡ１との接続点に接続される。第１の閾値電圧出力部５３ａからは、基準電圧出力部６の出力電圧Ｖｒｅｆに応じた閾値電圧Ｖｔ３が出力され、第１の比較部５１ａの反転入力端子には基準電圧Ｖｒｅｆに閾値電圧Ｖｔ３が加えられた電圧（ＬＥＤアレー４の他端電圧に基づく比較電圧）が印加される。第１の比較部５１ａは第１の過大電圧検出部であり、第１の比較部５１ａの非反転入力端子に印加される電圧（ＬＥＤアレー４の他端の電圧Ｖｒ２）と、第１の比較部５１ａの反転入力端子に印加される電圧（Ｖｒｅｆ＋Ｖｔ３）とを比較する。
【００４２】
第２の比較部５１ｂの非反転入力端子はＬＥＤアレー４の他端（上述したＬＥＤアレー４の一端に対する他端）に接続され、反転入力端子は第２の閾値電圧出力部５３ｂを介して基準電圧出力部６と誤差増幅器ＯＡ１との接続点に接続される。第２の閾値電圧出力部５３ｂからは、基準電圧出力部６の出力電圧Ｖｒｅｆに応じた閾値電圧Ｖｔ４が出力され、第２の比較部５１ｂの反転入力端子には基準電圧Ｖｒｅｆに閾値電圧Ｖｔ４が加えられた電圧（ＬＥＤアレー４の他端電圧に基づく比較電圧）が印加される。第２の比較部５１ｂは第２の過大電圧検出部であり、第２の比較部５１ｂの非反転入力端子に印加される電圧（ＬＥＤアレー４の他端の電圧Ｖｒ２）と、第２の比較部５１ｂの反転入力端子に印加される電圧（Ｖｒｅｆ＋Ｖｔ４）とを比較する。
【００４３】
第３の比較部５２ａの反転入力端子はＬＥＤアレー４の他端に接続され、非反転入力端子は第３の閾値電圧出力部５４ａを介して基準電圧出力部６と誤差増幅器ＯＡ１との接続点に接続される。第３の閾値電圧出力部５４ａからは、基準電圧出力部６の出力電圧Ｖｒｅｆに応じた閾値電圧Ｖｔ５が出力され、第３の比較部５２ａの非反転入力端子には基準電圧Ｖｒｅｆに閾値電圧Ｖｔ５が加えられた電圧（ＬＥＤアレー４の他端電圧に基づく比較電圧）が印加される。第３の比較部５２ａは第１の過小電圧検出部であり、第３の比較部５２ａの反転入力端子に印加される電圧（ＬＥＤアレー４の他端の電圧Ｖｒ２）と、第３の比較部５２ａの非反転入力端子に印加される電圧（Ｖｒｅｆ＋Ｖｔ５）とを比較する。
【００４４】
第４の比較部５２ｂの反転入力端子はＬＥＤアレー４の他端に接続され、非反転入力端子は第４の閾値電圧出力部５４ｂを介して基準電圧出力部６と誤差増幅器ＯＡ１との接続点に接続される。第４の閾値電圧出力部５４ｂからは、基準電圧出力部６の出力電圧Ｖｒｅｆに応じた閾値電圧Ｖｔ６が出力され、第４の比較部５２ｂの非反転入力端子には基準電圧Ｖｒｅｆに閾値電圧Ｖｔ６が加えられた電圧（ＬＥＤアレー４の他端電圧に基づく比較電圧）が印加される。第４の比較部５２ｂは第２の過小電圧検出部であり、第４の比較部５２ｂの反転入力端子に印加される電圧（ＬＥＤアレー４の他端の電圧Ｖｒ２）と、第４の比較部５２ｂの非反転入力端子に印加される電圧（Ｖｒｅｆ＋Ｖｔ６）とを比較する。
【００４５】
例えば、閾値電圧Ｖｔ４及びＶｔ５は共に正電圧であり、閾値電圧Ｖｔ４は閾値電圧Ｖｔ５よりも小さい値に設定される。また、閾値電圧Ｖｔ６及びＶｔ７は共に負電圧であり、閾値電圧Ｖｔ６は閾値電圧Ｖｔ７よりも大きい値に設定される。より具体的には、閾値電圧Ｖｔ４を、ＬＥＤアレー４を構成するＮ個のＬＥＤ４１の内、５％のＬＥＤ４１に開放故障が生じた場合に検出可能な値に設定し、閾値電圧Ｖｔ５を、ＬＥＤアレー４を構成するＮ個のＬＥＤ４１の内、２５％のＬＥＤ４１に開放故障が生じた場合に検出可能な値に設定する。また、閾値電圧Ｖｔ６を、ＬＥＤアレー４を構成するＮ個のＬＥＤ４１の内、５％のＬＥＤ４１に短絡故障が生じた場合に検出可能な値に設定し、閾値電圧Ｖｔ７を、ＬＥＤアレー４を構成するＮ個のＬＥＤ４１の内、２５％のＬＥＤ４１に短絡故障が生じた場合に検出可能な値に設定する。
【００４６】
制御部５５は短絡故障又は開放故障を検出した場合に所定の制御を実行する。所定の制御としては例えば、本実施形態の電源駆動回路１００を液晶表示装置が備える場合において以下のように実行される。ＬＥＤアレー４を構成するＮ個のＬＥＤ４１の内５％〜２５％の間のＬＥＤ４１に異常が生じている場合には、表示画面に「バックライトに異常が生じています。カスタマーサポートに連絡してください。」等の警告メッセージを表示し、或いは、液晶表示装置の設定画面から装置診断を実行した際に上記警告メッセージを表示する。また、ＬＥＤアレー４を構成するＮ個のＬＥＤ４１の内５％〜２５％以上のＬＥＤ４１に異常が生じている場合には、装置の電源状態をスタンバイモードに移行し、且つ、電源ランプを赤点滅とすることで、異常状態が発生していることをユーザに報知する。
【００４７】
本実施形態によれば第１実施形態と同様の効果を奏する。加えて、過大電圧、過小電圧を複数段階に検出することで、異常の進行具合に応じた適切な制御を実行することができる。具体的には、異常の進行具合が低い状態であれば、照明装置を継続使用しても危険度が低いこととして装置の動作は停止しないが、異常が生じていることを警告可能とする。これに対して異常の進行具合が高い状態であれば、照明装置を継続使用することが危険であるため、装置の動作を停止し、危険が発生しない形態（例えば上述した電源ランプの点滅）でユーザに報知する。
【００４８】
＜補足＞
以上、本発明の実施形態につき説明したが、本発明の範囲はこれに限定されるものではなく、発明の主旨を逸脱しない範囲で種々の変更を加えて実施することができる。
【００４９】
例えば、上記実施形態では、スイッチング素子としてトランジスタを用いたが、トランス型スイッチング電源を用いてもよい。
【符号の説明】
【００５０】
１    整流回路
２    平滑化回路
３    電圧変換回路
４    ＬＥＤアレー
５、７    比較部
６    基準電圧出力部
３１    ＰＷＭ調光回路部（調光制御部）
４１    ＬＥＤ
【図１】
2015225770.tif 000003
【図２】
2015225770.tif 000004
【図３】
2015225770.tif 000005
【図４】
2015225770.tif 000006